(57)【要約】【課題】機械本体構成部品を使用することにより容易にメンテナンス可能であり、また、メンテナンス後、防塵ガラス取り外し用の部品の紛失を防止できる画像形成装置を提供することにある。【解決手段】内部にレーザ光を走査する光学走査系が収納された光学ハウジング、および前記光学ハウジング内に塵埃が侵入するのを防止するカバーと、前記カバーに形成されたレーザ光を出射するための開口を塞ぐように設けられて、塵埃が前記開口から前記光学ハウジング内に侵入するのを防止するとともに、光路を形成する防塵ガラスとを備えた画像形成装置において、前記防塵ガラス２の取手部３に欠き形状部分３ａを設け、この取手部３の欠き形状部分３ａに別部材４を引っ掛けて、前記防塵ガラス２の抜き差しを可能とし、そのさい前記別部材４が、前記画像形成装置の外装カバー５の開閉検知手段４，７を構成する。【選択図】      図１
2004271551.tif 000002
【特許請求の範囲】
【請求項１】
内部にレーザ光を走査する光学走査系が収納された光学ハウジング、および前記光学ハウジング内に塵埃が侵入するのを防止するカバーと、前記カバーに形成されたレーザ光を出射するための開口を塞ぐように設けられて、塵埃が前記開口から前記光学ハウジング内に侵入するのを防止するとともに、光路を形成する防塵ガラスとを備えた画像形成装置において、前記防塵ガラスの取手部に欠き形状部分を設け、この取手部の欠き形状部分に別部材を引っ掛けて、前記防塵ガラスの抜き差しを可能とし、そのさい前記別部材が、前記画像形成装置の外装カバーの開閉検知手段を構成することを特徴とする画像形成装置。
【請求項２】
前記別部材が、前記外装カバーの固定部材となることを特徴とする請求項１記載の画像形成装置。
【発明の詳細な説明】
【０００１】
【発明の属する技術分野】
本発明は、電子写真プロセス構成を備えた複写機、ファクシミリ等の画像形成装置に関するものである。
【０００２】
【従来の技術】
電子写真プロセス構成に使用する光走査装置およびそれを装着した画像形成装置は知られており（例えば、特許文献１および２参照）、また画像形成装置において防塵ガラスの取手部に欠き形状部分を設けることも知られている（例えば、特許文献３参照）。
特許文献３において、画像形成装置は内部にレーザ光を走査する光学走査系が収納された光学ハウジング、および前記光学ハウジング内に塵埃が侵入するのを防止するカバーと、前記カバーに形成されたレーザ光を出射するための開口を塞ぐように設けられて、塵埃が前記開口から前記光学ハウジング内に侵入するのを防止するとともに、光路を形成する防塵ガラスとを備えている。
この画像形成装置においては、防塵ガラスの取手部に欠き形状部分を設け、この取手部の欠き形状部分に別部材を引っ掛けて、前記防塵ガラスの抜き差しを可能とすることが試みられている。
【特許文献１】特開２０００−３２１５１７公報
【特許文献２】特開平１１−１３３３３１号公報
【特許文献３】特開２０００−１４７４０９公報
【０００３】
【発明が解決しようとする課題】
従来技術において、画像形成装置の内部にある光走査系ユニットが、感光体ドラムにレーザを出射し、画像を形成するが、塵埃侵入防止のために防塵ガラスをレーザ出射部に設けている。
この防塵ガラスは、サービス技術者等がメンテナンスするさいに、取り外し可能となっているが、容易に抜け落ちて、防塵ガラスを破損したり、また、サービスメンテナンス時ではない場合に、ユーザーが誤って防塵ガラスを取り外し、破損したり、怪我をしたりするという問題がある。
そこで本発明の目的は、上記の問題点を解決するために、機械本体構成部品を使用することにより容易にメンテナンス可能であり、また、メンテナンス後、防塵ガラス取り外し用の部品の紛失を防止できる画像形成装置を提供することにある。
【０００４】
【課題を解決するための手段】
前記の課題を解決するために、請求項１記載の発明では、内部にレーザ光を走査する光学走査系が収納された光学ハウジング、および前記光学ハウジング内に塵埃が侵入するのを防止するカバーと、前記カバーに形成されたレーザ光を出射するための開口を塞ぐように設けられて、塵埃が前記開口から前記光学ハウジング内に侵入するのを防止するとともに、光路を形成する防塵ガラスとを備えた画像形成装置において、前記防塵ガラスの取手部に欠き形状部分を設け、この取手部の欠き形状部分に別部材を引っ掛けて、前記防塵ガラスの抜き差しを可能とし、そのさい前記別部材が、前記画像形成装置の外装カバーの開閉検知手段を構成する画像形成装置を最も主要な特徴とする。
請求項２記載の発明では、前記別部材が、前記外装カバーの固定部材となる請求項１記載の画像形成装置を主要な特徴とする。
【０００５】
【発明の実施の形態】
以下、図面により本発明の実施の形態を詳細に説明する。図１は本発明を適用する画像形成装置の全体の外観を示す概略図である。図２は図１の画像形成装置のＡ部を拡大して示す斜視図である。なお、図１および図２は一般的な画像形成装置の説明であるが、本発明を順次説明するために、本発明を適用する画像形成装置として示してある。
図１および図２において、電子写真プロセス構成を備えた画像形成装置１の内部には、レーザ光を走査する光学走査系が収納された光学ハウジング（図示せず）と、光学ハウジング内に塵埃が侵入するのを防止するカバー（図示せず）と、そのカバーに形成されたレーザ光を出射するための開口を塞ぐように設けられる防塵ガラス２とを備えている。
防塵ガラス２は塵埃がその開口から前記光学ハウジング内に侵入するのを防止するとともに、光路（図示せず）を形成している。その防塵ガラス２は、サービス技術者等がメンテナンスおよび清掃するさいに、取り外し（抜き刺し）可能な構成となっている。
この防塵ガラス２の取手部である第１の部材３に欠き形状部分３ａを設け、この第１の部材３に第２の部材４を引っ掛けて取り外し（抜き刺し）できるようにすることによって、サービス技術者等がメンテナンスおよび清掃するさいに防塵ガラス２が落下したりして、破損しないようにすることが可能となる。
【０００６】
図３は本発明による画像形成装置に使用する防塵ガラスに関連する第２の部材の第１の実施の形態を示す概略斜視図である。図３において、防塵ガラス２を取り外すために使用する第２の部材４は開閉可能な外装カバー５の内側に収納できるように構成されている。
このように配置することによって、第２の部材４はインターロックスイッチ６（図１参照）等の開閉検知手段の爪部７として使用することができる。そして、メンテナンスおよび清掃時、サービス技術者等が、特殊な工具等を用いずに、メンテナンスおよび清掃を行うことが可能となる。
このため、サービス技術者が防塵ガラスの取り外しに、別途、特殊な工具を用意しなくてもメンテナンス可能であり、防塵ガラスの取り外しに関連する部品を本体に装着し忘れてもカバー開閉検知手段が検知できない、すなわちカバー開放警告が表示されることによって、防塵ガラスの取り外しに関連する部品を紛失することがない。
【０００７】
図４は本発明による画像形成装置に使用する防塵ガラスに関連する第２の部材の第２の変形例を示す概略斜視図である。防塵ガラス２を取り外すために使用する第２の部材４を開閉可能な外装カバー５の内側に収納できるようにすることによって、外装カバーの固定手段８の一部として使用することもできる。
かくしてサービス技術者が防塵ガラスの取り外しに、別途、特殊な工具を用意しなくてもメンテナンス可能であり、防塵ガラスの取り外しに関連する部品を本体に装着し忘れても外装カバーの固定手段の一部となっていることによって外装カバーの固定ができず、防塵ガラスの取り外しに関連する部品を紛失することがない。
【０００８】
【発明の効果】
以上説明したように、請求項１によれば、防塵ガラスを取り外すために使用する第２の部材を外装カバーに収納できるようにすることにより、外装カバーの開閉検知手段の一部とすることができる。
また、特殊な工具等を用いずに、外装カバーよって、防塵ガラスを取り外すために使用する第２の部材を取り外すだけで、サービス技術者等が、容易にメンテナンスを行うことができる。
請求項２によれば、防塵ガラスを取り外すために使用する第２の部材を外装カバーに収納できるようにすることにより、外装カバーの固定手段の一部とすることができる。
また、特殊な工具等を用いずに、外装カバーより、防塵ガラスを取り外するために使用する第２の部材を取り外すだけで、サービス技術者等が、容易にメンテナンスを行うことができる。
【図面の簡単な説明】
【図１】本発明を適用する画像形成装置の全体の外観を示す概略図である。
【図２】図１の画像形成装置のＡ部を拡大して示す斜視図である。
【図３】本発明による画像形成装置に使用する防塵ガラスに関連する第２の部材の第１の変形例を示す概略斜視図である。
【図４】本発明による画像形成装置に使用する防塵ガラスに関連する第２の部材の第２の変形例を示す概略斜視図である。
【符号の説明】
１  画像形成装置（本体）、２  防塵ガラス、３  防塵ガラスの取手部（第１の部材）、３ａ  欠き形状部分（取手部の）、４  第２の部材（別部材、防塵ガラス取り外し部材、開閉検知手段、固定部材）、５  外装カバー、６  開閉検知手段（インターロックスイッチ）、７  開閉検知手段の爪部、８  外装カバーの固定手段
【図１】
2004271551.tif 000003
【図２】
2004271551.tif 000004
【図３】
2004271551.tif 000005
【図４】
2004271551.tif 000006